(57)【要約】本開示は、端末圧縮機の状態を監視するための方法及び装置を提供する。方法は、以下のステップを含む：第一端末の圧縮機の稼働状態パラメーターを得ること；稼働状態パラメーターが予め設定した範囲内に入るかどうか判断すること；稼働状態パラメーターが予め設定した範囲内にない場合、圧縮機の異常が発生したことを決定すること；及び異常の原因を分析すること、及び予め設定された情報を、第一端末に対してコントロールを行う関係にある第二端末にプッシュすること。前記解決手段に従って、ユーザに、第一端末での圧縮機の異常の発生及び異常の原因を知らせることができ、その結果、ユーザは、第一端末での圧縮機の異常に関する更なるアクションをとることができ、その結果、第一端末の知能化を実現し、及びユーザの体験を向上させることができる。
2017524167.tif 000002
【特許請求の範囲】
【請求項１】
端末圧縮機の状態を監視するための方法であって、以下を含む方法：
第一端末の圧縮機の稼働状態パラメーターを得ること；
前記稼働状態パラメーターが予め設定した範囲内に入るかどうか判断すること；
前記稼働状態パラメーターが前記予め設定した範囲内にない場合、前記圧縮機の異常が発生したことを決定すること；並びに
前記異常の原因を分析すること、及び予め設定された情報を、前記第一端末に対してコントロールを行う関係にある第二端末にプッシュすること。
【請求項２】
請求項１に記載の方法であって、前記第一端末の前記圧縮機の前記稼働状態パラメーターを獲得することが以下を含む該方法：
前記稼働状態パラメーターを、前記第一端末との予め確立された通信接続によって受け取ること。
【請求項３】
請求項１に記載の方法であって、前記稼働状態パラメーターが前記圧縮機の稼働電流を含むとき、前記稼働状態パラメーターが前記予め設定した範囲にあるかどうか判断することが以下を含む該方法：
前記稼働電流が予め設定された前記圧縮機の正常な稼働電流範囲を超えるかどうか判断すること；又は
前記稼働電流が予め設定された前記圧縮機の正常な稼働電流範囲を超えない及び前記第一端末が予め設定された操作モードであるとき、前記稼働電流が前記予め設定された操作モードでの予め設定された稼働電流範囲を超えるかどうか判断すること。
【請求項４】
請求項３に記載の方法であって、前記異常の原因を分析することが以下を含む該方法：
前記圧縮機の履歴操作情報を獲得すること、及び前記圧縮機の前記履歴操作情報に基づいて前記異常の原因を決定すること。
【請求項５】
請求項４に記載の方法であって、前記履歴操作情報が前記圧縮機の使用年限及び故障記録を含み；
前記圧縮機の履歴操作情報に基づいて異常の原因を決定することが以下を含む該方法：
前記圧縮機の前記故障記録及びその時の稼働電流を、予め記憶された故障記録とマッチングさせ、第一のマッチング結果を獲得すること、並びに、前記第一のマッチング結果に基づいて、前記圧縮機が故障しているかどうか決定すること、及び前記故障の原因を決定すること；
まだ故障が起きていないとき、前記圧縮機の使用年限に基づいて、前記圧縮機が老化しているかどうか決定すること；並びに
前記圧縮機がまだ老化していないとき、前記圧縮機が、ユーザによって発行された前記予め設定された操作モードの指示を実行していないかどうか決定すること。
【請求項６】
請求項１に記載の方法であって、前記稼働状態パラメーターが前記圧縮機の振動変位を含むとき、前記稼働状態パラメーターが前記予め設定した範囲にあるかどうか判断することが以下を含む該方法：
前記振動変位が予め設定された変位閾値を超えるかどうか判断すること、及び予め設定された時間閾値よりも長い時間続くかどうかを判断すること。
【請求項７】
請求項６に記載の方法であって、前記異常の原因を分析することが以下を含む該方法：
前記振動変位に対応する振動変位曲線を、様々な故障に対応する予め記憶された振動変位曲線とマッチングさせ、第二のマッチング結果を獲得すること；並びに
前記第二のマッチング結果に基づいて、前記圧縮機が故障しているかどうか決定すること、及び前記故障の原因を決定すること。
【請求項８】
請求項１〜７のうちいずれか１項に記載の方法であって、前記予め設定された情報を前記第二端末にプッシュすることが以下を含む該方法：
前記異常の提示情報を前記第二端末にプッシュすること；及び
前記異常の原因を分析した場合、前記異常の原因の提示情報を前記第二端末にプッシュすること。
【請求項９】
端末圧縮機の状態を監視するための装置であって、以下を備える装置：
獲得モジュールであって、第一端末の圧縮機の稼働状態パラメーターを獲得するように構成される、該モジュール；
判断モジュールであって、前記稼働状態パラメーターが予め設定した範囲内に入るかどうか判断するように構成される、該モジュール；
決定モジュールであって、前記稼働状態パラメーターが前記予め設定した範囲内にない場合、前記圧縮機の異常が発生したことを決定するように構成される、該モジュール；並びに
分析及びプッシュモジュールであって、前記異常の原因を分析し、及び予め設定された情報を、前記第一端末に対してコントロールを行う関係にある第二端末にプッシュするように構成される、該モジュール。
【請求項１０】
請求項９に記載の装置であって、前記獲得モジュールは以下を含む該装置：
獲得サブ−モジュールであって、前記第一端末との予め確立された通信接続により、前記稼働状態パラメーターを受け取るように構成される、該モジュール。
【請求項１１】
請求項９に記載の装置であって、前記稼働状態パラメーターが前記圧縮機の稼働電流を含むとき、前記判断モジュールが以下を含む該装置：
第一判断サブ−モジュールであって、前記稼働電流が予め設定された前記圧縮機の正常な稼働電流範囲を超えるかどうかを判断するように構成される、該モジュール；又は
第二判断サブ−モジュールであって、前記稼働電流が予め設定された前記圧縮機の正常な稼働電流範囲を超えない及び前記第一端末が予め設定された操作モードであるとき、前記稼働電流が前記予め設定された操作モードでの予め設定された稼働電流範囲を超えるかどうかを判断するように構成される、該モジュール。
【請求項１２】
請求項１１に記載の装置であって、前記分析及びプッシュモジュールが以下を含む該装置：
第一決定サブ−モジュールであって、前記圧縮機の履歴操作情報を獲得し、及び、前記圧縮機の前記履歴操作情報に基づいて前記異常の原因を決定するように構成される、該モジュール。
【請求項１３】
請求項１２の装置であって、前記履歴操作情報が前記圧縮機の使用年限及び故障記録を含み；
前記第一決定サブ−モジュールは、更に以下の動作を行うように構成され：前記圧縮機の前記故障記録及びその時の稼働電流を、予め記憶された故障記録とマッチングさせ、第一のマッチング結果を獲得すること、並びに、前記第一のマッチング結果に基づいて、前記圧縮機が故障しているかどうか決定すること、及び前記故障の原因を決定すること；まだ故障が起きていないとき、前記圧縮機の前記使用年限に基づいて、前記圧縮機が老化しているかどうか決定すること；並びに、前記圧縮機がまだ老化していないとき、前記圧縮機が、ユーザによって発行された前記予め設定された操作モードの指示を実行していないかどうか決定すること。
【請求項１４】
請求項１０の装置であって、前記稼働状態パラメーターが前記圧縮機の振動変位を含むとき、前記判断モジュールは以下を含む該装置：
第三判断サブ−モジュールであって、前記振動変位が予め設定された変位閾値を超えるかどうか及び予め設定された時間閾値よりも長い時間続くかどうかを判断するように構成される、該モジュール。
【請求項１５】
請求項１４に記載の装置であって、前記分析及びプッシュモジュールは以下を含む該装置：
第二決定サブ−モジュールであって、前記振動変位に対応する振動変位曲線を、様々な故障に対応する予め記憶された振動変位曲線とマッチングさせ、第二のマッチング結果を獲得し、並びに、前記第二のマッチング結果に基づいて、前記圧縮機が故障しているかどうかを決定し、及び前記故障の原因を決定するように構成される、該モジュール。
【請求項１６】
請求項１０〜１５のうちいずれか１項に記載の装置であって、前記分析及びプッシュモジュールは以下を含む該装置：
プッシュサブ−モジュールであって、前記異常の提示情報を前記第二端末にプッシュし、及び、前記異常の原因を分析した場合、前記異常の原因の提示情報を前記第二端末にプッシュするように構成される、該モジュール。
【請求項１７】
端末圧縮機の状態を監視するための装置であって：
プロセッサ；
メモリであって、前記プロセッサが実行可能な指示を記憶するように構成される、該メモリ；
を備える該装置であり、
前記プロセッサは、以下の動作を行うように構成される、該装置：
第一端末の圧縮機の稼働状態パラメーターを獲得すること；
前記稼働状態パラメーターが予め設定した範囲内に入るかどうか判断すること；
前記稼働状態パラメーターが前記予め設定した範囲内にない場合、前記圧縮機の異常が発生したことを決定すること；並びに
異常の原因を分析すること、及び予め設定された情報を、前記第一端末に対してコントロールを行う関係にある第二端末にプッシュすること。
【発明の詳細な説明】
【技術分野】
【０００１】
関連出願へのクロスリファレンス
本出願は中国の特許出願番号２０１５１０３５９７４８．５（２０１５年６月２５日出願）に基づき、該出願に対する優先権を主張する。そして、その内容全体を、参照により本明細書に組み込む。
【０００２】
本開示は、インテリジェントな住居技術の分野に関する。そして、より具体的には、端末圧縮機の状態を監視するための方法及び装置に関する。
【背景技術】
【０００３】
現在、インテリジェントな住居は、インターネットの影響下でモノのインターネット化される。インテリジェントな住居は、ＩＯＴ（Ｉｎｔｅｒｎｅｔ  ｏｆ  Ｔｈｉｎｇｓ）の技術を用いて、家庭内の様々な装置（例えばエアコン、オーディオヴィジュアル装置、照明システム、カーテンコントローラー、セキュリティシステム、デジタルシアターシステム、ビデオサーバー、ビデオ保存システム、又はネットワーク家電）を互いに接続し、様々な機能及び手段を提供する（例えば住居家電コントロール、照明コントロール、電話リモートコントロール、屋内及び屋外リモートコントロール、盗難防止アラーム、環境モニタリング、熱及び循環コントロール、赤外線通信及びプログラム制御可能なタイミングコントロール）。通常の住居と比べると、インテリジェントな住居は、従来の居住機能を有するだけでなく、以下の利点も兼ね備える：建築、ネットワーク通信、情報家電、及び設備の自動化。そして、あらゆる方面への情報相互作用機能を提供することができる。
【発明の概要】
【発明が解決しようとする課題】
【０００４】
圧縮機は、装置（例えばエアコン）のコアとなる稼働構成要素であり、その稼働状態は、圧縮機を用いた装置全体のサービスライフ及び稼働の質に直接影響する可能性がある。
【課題を解決するための手段】
【０００５】
概要
本開示の実施形態は、端末圧縮機の状態を監視するための方法及び端末圧縮機の状態を監視するための装置を提供する。技術的な解決手段を以下説明する。
【０００６】
本開示の実施形態の第一の態様によれば、端末圧縮機の状態を監視するための方法を提供する。方法は、以下のステップを含む：第一端末の圧縮機の稼働状態パラメーターを得ること；稼働状態パラメーターが予め設定した範囲内に入るかどうか判断すること；稼働状態パラメーターが予め設定した範囲内にない場合、圧縮機の異常が発生したことを決定すること；及び異常の原因を分析すること、及び予め設定された情報を、第一端末に対してコントロールを行う関係にある第二端末にプッシュすること。
【０００７】
一実施形態において、第一端末における圧縮機の稼働状態パラメーターを獲得するステップは、以下を含むことができる：稼働状態パラメーターを、第一端末との予め確立された通信接続によって受け取ること。
【０００８】
予め確立された通信接続によって、第一端末における圧縮機の稼働状態パラメーターを受け取るための通信チャンネルを設けることができ、及び様々なタイプの通信接続は、稼働状態パラメーターを受け取る手段に関する多くの可能性を提供することができる。
【０００９】
一実施形態において、稼働状態パラメーターが圧縮機の稼働電流を含むとき、稼働状態パラメーターが予め設定した範囲にあるかどうか判断するステップは、以下を含むことができる：稼働電流が予め設定された圧縮機の正常な稼働電流範囲を超えるかどうか判断すること；又は稼働電流が予め設定された圧縮機の正常な稼働電流範囲を超えない及び第一端末が予め設定された操作モードであるとき、稼働電流が予め設定された操作モードでの予め設定された稼働電流範囲を超えるかどうか判断すること。
【００１０】
圧縮機の稼働状態パラメーターが、予め設定した範囲内に無い場合、１つの可能性として正常な稼働電流範囲を超える可能性があり、及び、他の可能性として、正常な電流範囲で稼働していながらも、圧縮機が予め設定された操作モードに適した稼働電流範囲で稼働していない可能性があり、両者とも異常状態に属する。実施形態は、可能な限り多くの稼働状態パラメーターの異常の全てをカバーする。
【００１１】
一実施形態において、異常の原因を分析するステップは、以下を含むことができる：圧縮機の履歴操作情報を獲得すること、及び圧縮機の履歴操作情報に基づいて異常の原因を決定すること。
【００１２】
履歴操作情報に基づいて異常の原因を決定することによって、異常の原因の分析を、簡単に、迅速に、そして正確に行うことができる。
【００１３】
一実施形態において、履歴操作情報は、圧縮機の使用年限及び故障記録を含む。
【００１４】
圧縮機の履歴操作情報に基づいて異常の原因を決定するステップは以下を含む：圧縮機の故障記録及びその時の稼働電流を、予め記憶された故障記録とマッチングさせ、第一のマッチング結果を獲得すること、並びに、第一のマッチング結果に基づいて、圧縮機が故障しているかどうか決定すること、及び故障の原因を決定すること；まだ故障が起きていないとき、圧縮機の使用年限に基づいて、圧縮機が老化しているかどうか決定すること；並びに圧縮機がまだ老化していないとき、圧縮機が、ユーザによって発行された予め設定された操作モードの指示を実行していないかどうか決定すること。
【００１５】
異常に関する可能性のある原因は以下に基づいて徐々に除外される：故障記録、使用年限及びユーザによって発行された予め設定された操作モードの指示が実行されたかどうかの判断、及び異常の可能性。異常の原因の分析を注意深く実行すればするほど、最終分析結果の精度及び信頼性は向上する。
【００１６】
一実施形態において、稼働状態パラメーターが圧縮機の振動変位を含むとき、稼働状態パラメーターが予め設定した範囲にあるかどうか判断するステップは、以下を含むことができる：振動変位が予め設定された変位閾値を超えるかどうか判断すること、及び予め設定された時間閾値よりも長い時間続くかどうかを判断すること。
【００１７】
一実施形態において、異常の原因を分析するステップは、以下を含むことができる：振動変位に対応する振動変位曲線を、様々な故障に対応する予め記憶された振動変位曲線とマッチングさせ、第二のマッチング結果を獲得すること；及び第二のマッチング結果に基づいて、圧縮機が故障しているかどうか決定すること、及び故障の原因を決定すること。
【００１８】
振動変位曲線に基づいて圧縮機が故障しているかどうかを決定する及び故障の原因を決定することにより、異常の原因の分析を簡単に、迅速に、そして、正確に行うことができる。
【００１９】
一実施形態において、予め設定された情報を第二端末にプッシュするステップは、以下を含むことができる：異常の提示情報を第二端末にプッシュすること；及び異常の原因を分析した場合、異常の原因の提示情報を第二端末にプッシュすること。
【００２０】
第一端末をコントロールする関係にある第二端末に異常の原因の提示情報をプッシュすることによって、ユーザには、第一端末での圧縮機の異常の発生、及び異常の原因を、第二端末を通して知らせることができ、従って、ユーザは、第一端末での異常に関する更なるアクションをとることができ、その結果、第一端末の知能化を実現し、及びユーザの体験を向上させることができる。
【００２１】
本開示の実施形態の第二の態様に従って、端末圧縮機の状態を監視するための装置が提供される。装置は以下を含む：獲得モジュール（第一端末における圧縮機の稼働状態パラメーターを獲得するように構成される）；判断モジュール（稼働状態パラメーターが予め設定した範囲内に入るかどうか判断するように構成される）；決定モジュール（稼働状態パラメーターが予め設定した範囲内にない場合に圧縮機の異常が発生したことを決定するように構成される）；及び分析及びプッシュモジュール（異常の原因を分析し、及び予め設定された情報を第一端末に対してコントロールを行う関係にある第二端末にプッシュするように構成される）。
【００２２】
一実施形態において、前記獲得モジュールは、以下を含むことができる：獲得サブ−モジュール（第一端末との予め確立された通信接続により、稼働状態パラメーターを受け取るように構成される）。
【００２３】
一実施形態において、稼働状態パラメーターが圧縮機の稼働電流を含むとき、前記判断モジュールは、以下を含むことができる：第一判断サブ−モジュール（稼働電流が予め設定された圧縮機の正常な稼働電流範囲を超えるかどうかを判断するように構成される）；又は第二判断サブ−モジュール（稼働電流が予め設定された圧縮機の正常な稼働電流範囲を超えない及び第一端末が予め設定された操作モードであるとき、稼働電流が予め設定された操作モードでの予め設定された稼働電流範囲を超えるかどうかを判断するように構成される）。
【００２４】
一実施形態において、前記分析及びプッシュモジュールは、以下を含むことができる：第一決定サブ−モジュール（圧縮機の履歴操作情報を獲得し、及び、圧縮機の履歴操作情報に基づいて異常の原因を決定するように構成される）。
【００２５】
一実施形態において、履歴操作情報は、圧縮機の使用年限及び故障記録を含む。前記第一決定サブ−モジュールは、更に以下の動作を行うように構成される：圧縮機の故障記録及びその時の稼働電流を、予め記憶された故障記録とマッチングさせ、第一のマッチング結果を獲得すること、並びに、第一のマッチング結果に基づいて、圧縮機が故障しているかどうか決定すること、及び故障の原因を決定すること；まだ故障が起きていないとき、圧縮機の使用年限に基づいて、圧縮機が老化しているかどうか決定すること；圧縮機がまだ老化していないとき、圧縮機がユーザによって発行された予め設定された操作モードの指示を実行していないかどうか決定すること。
【００２６】
一実施形態において、稼働状態パラメーターが圧縮機の振動変位を含むとき、前記判断モジュールは、以下を含むことができる：第三判断サブ−モジュール（振動変位が予め設定された変位閾値を超えるかどうか及び予め設定された時間閾値よりも長い時間続くかどうかを判断するように構成される）。
【００２７】
一実施形態において、前記分析及びプッシュモジュールは、以下を含むことができる：第二決定サブ−モジュール（振動変位に対応する振動変位曲線を、様々な故障に対応する予め記憶された振動変位曲線とマッチングさせ、第二のマッチング結果を獲得し、並びに、第二のマッチング結果に基づいて、圧縮機が故障しているかどうかを決定し、及び故障の原因を決定するように構成される）。
【００２８】
一実施形態において、前記分析及びプッシュモジュールは、以下を含むことができる：プッシュサブ−モジュール（異常の提示情報を前記第二端末にプッシュし、及び、異常の原因を分析した場合、異常の原因の提示情報を前記第二端末にプッシュするように構成される）。
【００２９】
本開示の実施形態の第三の態様に従って、端末圧縮機の状態を監視するための装置が提供される。装置は以下を含む：プロセッサ及びメモリ（プロセッサが実行可能な指示を記憶するように構成される）。ここで、プロセッサは、以下の動作を行うように構成される：第一端末における圧縮機の稼働状態パラメーターを獲得すること；稼働状態パラメーターが予め設定した範囲内に入るかどうか判断すること；稼働状態パラメーターが予め設定した範囲内にない場合、圧縮機の異常が発生したと決定すること；及び異常の原因を分析し、及び予め設定された情報を、第一端末に対してコントロールを行う関係にある第二端末にプッシュすること。
【発明の効果】
【００３０】
本開示の実施形態に従って、上記解決手段は以下の有利な効果を有する。上述の解決手段は以下を含む：第一端末における圧縮機の稼働状態パラメーターを獲得すること；稼働状態パラメーターが予め設定した範囲にあるかどうか判断すること；稼働状態パラメーターが予め設定した範囲内にない場合、圧縮機の異常が発生したと決定すること；及び異常の原因を分析すること及び予め設定された情報を、第一端末に対してコントロールを行う関係にある第二端末にプッシュすること。圧縮機の異常が発生したと決定したときには、予め設定された情報を第二端末にプッシュする。その結果、ユーザに、第一端末での圧縮機の異常の発生及び異常の原因を、第二端末を通して知らせることができる。従って、ユーザは、第一端末での圧縮機の異常に関する更なるアクションをとることができる。その結果、第一端末の知能化を実現し、及びユーザの体験を向上させることができる。
【００３１】
以下の点を理解されたい：即ち、上記包括的な説明及び以降の詳細な説明の両方は例示的な説明に過ぎず、及び開示を制限するものではない。
【００３２】
添付図は、本明細書に組み込まれ、本明細書の一部を構成するが、本開示に合致する実施形態を本説明とともに示し、本開示の原理を説明するのに寄与する。
【図面の簡単な説明】
【００３３】
【図１】例示的な実施形態に従った端末圧縮機の状態を監視するための方法のフローチャートである。
【００３４】
【図２】例示的な実施形態に従った端末圧縮機の状態を監視するための方法におけるステップ（１０２）のフローチャートである。
【００３５】
【図３】例示的な実施形態に従った端末圧縮機の状態を監視するための方法におけるステップ（１０２）の別のフローチャートである。
【００３６】
【図４】例示的な実施形態に従った端末圧縮機の状態を監視するための方法におけるステップ（１０４）のフローチャートである。
【００３７】
【図５】例示的な実施形態に従った端末圧縮機の状態を監視するための方法におけるステップ（４０１）のフローチャートである。
【００３８】
【図６】例示的な実施形態に従った端末圧縮機の状態を監視するための方法におけるステップ（１０２）のフローチャートである。
【００３９】
【図７】例示的な実施形態に従った端末圧縮機の状態を監視するための方法におけるステップ（１０４）のフローチャートである。
【００４０】
【図８】例示的な実施形態に従った端末圧縮機の状態を監視するための方法におけるステップ（１０４）のフローチャートである。
【００４１】
【図９】例示的な実施形態に従った端末圧縮機の状態を監視するための装置の概念図である。
【００４２】
【図１０】例示的な実施形態に従った端末圧縮機の状態を監視するための装置の獲得モジュール９１の概念図である。
【００４３】
【図１１】例示的な実施形態に従った端末圧縮機の状態を監視するための装置の判断モジュール９２の概念図である。
【００４４】
【図１２】例示的な実施形態に従った端末圧縮機の状態を監視するための装置の判断モジュール９２の概念図である。
【００４５】
【図１３】例示的な実施形態に従った端末圧縮機の状態を監視するための装置の分析及びプッシュモジュール９４の概念図である。
【００４６】
【図１４】例示的な実施形態に従った端末圧縮機の状態を監視するための装置の判断モジュール９２の概念図である。
【００４７】
【図１５】例示的な実施形態に従った端末圧縮機の状態を監視するための装置の情報分析及びプッシュモジュール９４の概念図である。
【００４８】
【図１６】例示的な実施形態に従った端末圧縮機の状態を監視するための装置の分析及びプッシュモジュール９４の概念図である。
【００４９】
【図１７】端末圧縮機の状態を監視するのに適し、且つ例示的な実施形態に従った装置の概念図である。
【発明を実施するための形態】
【００５０】
以下、例示的な実施形態について詳細に説明する。これらの実施形態の例は、添付図に示されている。以下の説明では添付図に言及しており、別途表明しない限り、異なる図面中の同一の番号は、同一の又は類似の要素を表す。例示的な実施形態の以下の説明中に記載された実施内容は、本開示に合致するすべての実施内容を表しているわけではない。むしろ、これらは、添付した特許請求の範囲に記載した本開示に関連する態様に一致する装置及び方法の例に過ぎない。
【００５１】
図１は例示的な実施形態に従った端末圧縮機の状態を監視するための方法のフローチャートである。図１に示すように、方法は、サーバー、又は圧縮機を備えた任意の末端装置に用いることができ（例えばエアコン、冷蔵庫及び圧縮機を有する他の装置）、及び以下のステップ（１０１）〜（１０４）を含む。
【００５２】
ステップ（１０１）において、第一端末の圧縮機の稼働状態パラメーターを獲得する。
【００５３】
一実施形態において、方法を第一端末に適用するとき、第一端末は、圧縮機の稼働状態パラメーターを獲得し、及び次の処理を実行する。圧縮機を備える第一端末は、圧縮機を備える任意の装置であってもよい（例えばエアコン、冷蔵庫及び他の冷蔵装置）。第一端末は、稼働状態パラメーターを収集する機能を有する。例えば、関連センサ又は検出装置を、圧縮機を備えるエアコン、冷蔵庫及び圧縮機を有する他の装置内に配置し、その結果、関連する稼働状態パラメーターを収集する。
【００５４】
別の実施形態では、方法をサーバーに適用するとき、第一端末における圧縮機の稼働状態パラメーターを、第一端末を通してサーバーにアップロードし、及びサーバーは、第一端末によってアップロードされた稼働状態パラメーターを受け取る。第一端末によって収集された圧縮機の稼働状態パラメーターは、上述した実施形態と類似のものである、これらは、関連する稼働状態パラメーターを収集するための第一端末内にある関連する稼働状態パラメーター収集機（例えばセンサのような）を設けることによって実現することができる。収集した稼働状態パラメーターは、第一端末自身で処理されず、処理するためのサーバーにアップロードされる。
【００５５】
一実施形態において、稼働状態パラメーターは、以下のパラメーターのうち少なくとも１つを含むことができる：圧縮機の稼働電流及び圧縮機の振動変位。
【００５６】
実施する際、第一端末に、圧縮機の稼働電流を検出することができる電流検出装置を設ける；第一端末は、圧縮機の振動変位を検出することができる振動センサを更に含む。例えば、第一端末は、ルーターに、Ｗｉ−Ｆｉ（登録商標）モジュールを通して接続することができ、圧縮機の稼働電流及び圧縮機の振動変位についての幾つかの重要なパラメーター情報をサーバーに送信することができる。ユーザは、第一端末の稼働状態を、第二端末（例えば、モバイル端末アプリケーション）を通してコントロールすることができ、該第二端末は第一端末に対してコントロールを行う関係にある。
【００５７】
一実施形態において、サーバーは、第一端末における圧縮機の稼働状態パラメーターを、第一端末と予め確立した通信接続によって、受け取ることができる。通信方法として、近距離通信接続、無線のＬＡＮ接続又は公共のモバイル通信ネットワークを通した無線ネットワーク接続であってもよい。その結果、稼働状態パラメーターを、近距離で又は遠隔的に獲得することができる。
【００５８】
ステップ（１０２）において、稼働状態パラメーターが予め設定した範囲内に入るかどうかの判断を行う。
【００５９】
ステップ（１０２）は、サーバー又は第一端末装置が実行することができる。
【００６０】
予め設定した範囲は、第一端末が稼働しているときの圧縮機の正常な稼働電流範囲又は圧縮機の正常な振動変位範囲であってもよい。第一端末が異なれば、電力が異なる可能性があるため、第一端末の対応する稼働電流及び振動変位は異なる。従って、異なった予め設定した範囲は、異なった第一端末圧縮機のために設定されてもよい。容易に想像できるであろうが、予め設定した範囲は、予め設定した値であってもよい。
【００６１】
ステップ（１０３）において、稼働状態パラメーターが予め設定した範囲内にない場合、圧縮機に異常が発生したと決定される。
【００６２】
ステップ（１０３）は、サーバー又は第一端末装置が実行することができる。
【００６３】
圧縮機の異常は以下のものによって生じる可能性がある：圧縮機の故障、圧縮機の老化、ユーザの指示の実行の失敗、又はいくつかの他の原因。これらは更に分析され確定される必要がある。
【００６４】
ステップ（１０４）において、異常の原因が分析され、及び予め設定された情報が、第一端末に対してコントロールを行う関係にある第二端末にプッシュされる。
【００６５】
ステップ（１０４）は、サーバー又は第一端末装置が実行することができる。
【００６６】
第二端末は、モバイル端末でもよいし、又は、固定された位置にある端末でもよい。予め設定された情報は、異常の原因に基づいて異なった内容として設定されてもよい。第二端末が予め設定された情報を受け取るとき、どのような種類の異常が発生したか素早く判断することが可能である。
【００６７】
第二端末及びサーバーの間、又は第二端末及び第一端末の間の接続は、前もって予め確立されており、その結果、予め設定された情報は、第二端末装置に、サーバー又は第一端末装置を通してプッシュされる。接続の確立は、第二端末の第一端末に対するコントロール権限に基づく。即ち、第二端末のコントロール権限が確認されてはじめて、第一端末又はサーバーとの接続を確立することができる。その結果、予め設定された情報をプッシュする事のセキュリティ及び信頼性が保証される。
【００６８】
同様に、第二端末及びサーバーの間の接続又は第二端末及び第一端末の間の接続は様々なネットワーク接続方法で実現することができる（例えば近距離通信接続、無線のＬＡＮ接続、及び公共のモバイル通信ネットワークを通した無線ネットワーク接続）。
【００６９】
本開示の実施形態に従った上述の方法は、サーバー又は第一端末に適用することができる。第一端末における圧縮機の稼働状態パラメーターを獲得すること；稼働状態パラメーターが予め設定した範囲にあるかどうか判断すること；稼働状態パラメーターが予め設定した範囲内にない場合、圧縮機の異常が発生したと決定すること；並びに異常の原因を分析すること、及び予め設定された情報を、第一端末に対してコントロールを行う関係にある第二端末にプッシュすることが行われる。圧縮機の異常が発生したと決定された場合には、サーバー又は第一端末自身の両方は、予め設定された情報を、第二端末にプッシュすることができる。その結果、ユーザには、圧縮機の異常が第一端末において発生したこと、及び異常の原因を、第二端末を通して、タイムリーに知らせることができる。従って、ユーザは、第一端末での圧縮機の異常に関する更なるアクションをとることができる。その結果、第一端末の知能化を実現し、及びユーザの体験を向上させることができる。
【００７０】
一実施形態において、稼働状態パラメーターは、第一端末における圧縮機の稼働電流を含む。
【００７１】
ステップ（１０２）は、以下のステップ（２０１）又はステップ（３０１）として実施することができる。
【００７２】
図２に示すように、ステップ（２０１）において、稼働電流が、予め設定された圧縮機の正常な稼働電流範囲を超えているかどうかの判断が行われる。
【００７３】
或いは図３に示すように、ステップ（３０１）において、稼働電流が予め設定された圧縮機の正常な稼働電流範囲を超えないとき及び第一端末が予め設定された操作モードであるとき、稼働電流が、その時の操作モードでの予め設定された稼働電流範囲を超えるかどうかの判断が行われる。
【００７４】
概して、ユーザの要求が異なることに鑑みて、第一端末は、異なる操作モードを有する。例えば、エアコンは、以下の異なる操作モードを有する：冷房、暖房、除湿、送風及び節電。各モードにおいて、稼働電流は固有の範囲を有する。例えば、もしも、ユーザがエアコンを節電モードに設定し、しかし、実際の稼働電流が大きく、節電モードにおける圧縮機の正常な稼働電流範囲を超えている場合、圧縮機の異常が発生したと決定することができる。ステップ（２０１）と比べると、ステップ（３０１）において、圧縮機の稼働電流が予め設定した範囲内にあるかどうかの判断をより正確に行うことが可能であり、これは、稼働電流が、その時の操作モードにおける予め設定された稼働電流範囲内にあるかどうかを判断することによって可能となる。
【００７５】
一実施形態において、図４に示すように、ステップ（１０４）は、以下を含むことができる：ステップ（４０１）。
【００７６】
ステップ（４０１）において、圧縮機の履歴操作情報を獲得し、その結果、圧縮機の履歴操作情報に基づいて、異常の原因を決定する。
【００７７】
一実施形態において、履歴操作情報は、圧縮機の使用年限及び故障記録を含む。圧縮機が異常を有するとき、圧縮機の履歴操作情報に基づいて素早く正確に異常の原因を決定することができる。
【００７８】
図５に示すように、ステップ（４０１）は、以下を含むことができる：ステップ（５０１）〜（５０３）。
【００７９】
ステップ（５０１）において、圧縮機の故障記録及びその時の稼働電流は、予め記憶された故障記録とマッチングされ、第一のマッチング結果を得る、そして、第一のマッチング結果に基づいて、圧縮機が故障しているかどうかを決定し、及び故障の原因を決定する。まだ故障が発生していないときには、圧縮機の履歴操作情報、その時の稼働電流及びその時の操作モードに基づいて、圧縮機が老化しているかどうか判断される。ユーザが第一端末を第二端末（例えば、端末Ａｐｐのように）を通してコントロールしているとき、Ａｐｐの指示が第一端末によって実行されているかどうか判断される。
【００８０】
ステップ（５０２）において、まだ故障が起きていないとき、圧縮機の使用年限に基づいて圧縮機が老化しているかどうか決定される。
【００８１】
老化は圧縮機の稼働状態パラメーターの異常の原因の１つであるため、まだ故障が起きていないとき、圧縮機の使用年限に基づいて圧縮機が老化しているかどうか更に判断される。
【００８２】
ステップ（５０３）において、圧縮機がまだ老化していないとき、ユーザによって発行された予め設定された操作モードの指示を圧縮機が実行していないかどうか決定される。
【００８３】
故障が発生しておらず、且つ圧縮機が老化していない場合、ユーザによって発行された予め設定された操作モードの指示を圧縮機が実行しない可能性もある、その結果として、稼働状態パラメーターの異常が生じる可能性もある。従って、稼働状態パラメーターの異常の原因が、予め設定された操作モードの指示を圧縮機が実行しないことであるかどうかについて更に判断することが必要である。稼働状態パラメーターの異常の原因は、一歩ずつ判断を積み重ねることによって、最終判断が行われる。
【００８４】
該実施形態において、故障記録はサーバー又は第一端末に予め記憶され、その結果、圧縮機の異常が発生したときに、その時の稼働状態パラメーターを、予め記憶された故障記録とマッチングさせることができる。その結果、圧縮機が故障しているかどうかの決定と、及び故障の原因の決定とを、簡単に、迅速に、及び正確に行うことができる。
【００８５】
一実施形態において、稼働状態パラメーターは、第一端末での圧縮機の振動変位を含む。
【００８６】
図６に示すように、ステップ（１０２）は、以下のステップ（６０１）として実行することができる。ステップ（６０１）において、振動変位が、予め設定された変位閾値を超えるかどうか、及び予め設定された時間閾値よりも長い時間続くかどうかについて判断される。
【００８７】
一実施形態において、図７に示すように、ステップ（１０４）は、以下を含むことができる：ステップ（７０１）。ステップ（７０１）において、振動変位に対応する振動変位曲線は、様々な故障に対応する予め記憶された振動変位曲線とマッチングされ、第二のマッチング結果を獲得する。；並びに、第二のマッチング結果に基づいて、圧縮機が故障しているかどうか決定され、及び故障の原因が決定される。
【００８８】
該実施形態において、様々な故障に対応する振動変位曲線は、サーバー又は第一端末に予め記憶される。圧縮機の振動変位があまりにも大きく及び長時間続くとき、振動変位に対応する振動変位曲線を、圧縮機の予め記憶された振動変位曲線と比較する。その結果、圧縮機が故障しているかどうかについての決定、及び故障に対応する原因の決定を迅速に行うことができる。
【００８９】
一実施形態において、図８に示すように、ステップ（１０４）は、以下を含むことができる：ステップ（８０１）。ステップ（８０１）において、異常の提示情報を第二端末にプッシュする；及び異常の原因を分析したときには、異常の原因の提示情報を第二端末にプッシュする。従って、ユーザには、圧縮機の異常をタイムリーに且つ直接的に知らせることができる。
【００９０】
本開示の実施形態に従った上述の方法は以下を含む：第一端末における圧縮機の稼働状態パラメーターを獲得すること；稼働状態パラメーターが予め設定した範囲にあるかどうか判断すること；稼働状態パラメーターが予め設定した範囲内にない場合、圧縮機の異常が発生したと決定すること；並びに異常の原因を分析すること及び予め設定された情報を、第一端末に対してコントロールを行う関係にある第二端末にプッシュすること。圧縮機の異常が発生したと決定したときには、予め設定された情報を第二端末にプッシュする。その結果、ユーザには、圧縮機の異常が第一端末において発生したこと、及び異常の原因を、第二端末を通して、タイムリーに知らせることができる。従って、ユーザは、第一端末での異常に関する更なるアクションをとることができ、その結果、第一端末の知能化を実現し、及びユーザの体験を向上させることができる。
【００９１】
以下において、本開示の装置の実施形態は、本開示の方法の実施形態を実施するために用いることができる。
【００９２】
図９は、例示的な実施形態に従った端末圧縮機の状態を監視するための装置の概念図である。装置は、サーバーに適用することができ、そして、ソフトウェア、ハードウェア、又はこれら２つの組合せにより、電子的装置の一部として又は電子的装置として実現することができる。図１０に示すように、装置は以下を含む：獲得モジュール９１（第一端末における圧縮機の稼働状態パラメーターを獲得するように構成される）；判断モジュール９２（稼働状態パラメーターが予め設定した範囲内に入るかどうか判断するように構成される）；決定モジュール９３（稼働状態パラメーターが予め設定した範囲内にない場合に圧縮機の異常が発生したことを決定するように構成される）；並びに、分析及びプッシュモジュール９４（異常の原因を分析し、及び予め設定された情報を第一端末に対してコントロールを行う関係にある第二端末にプッシュするように構成される）。
【００９３】
一実施形態において、図１０に示すように、獲得モジュール９１は、以下を含むことができる：獲得サブ−モジュール（１０１）（第一端末との予め確立された通信接続により、稼働状態パラメーターを受け取るように構成される）。
【００９４】
一実施形態において、図１１に示すように、稼働状態パラメーターが圧縮機の稼働電流を含むとき、判断モジュール９２は、以下を含むことができる：第一判断サブ−モジュール（１１１）（稼働電流が予め設定された圧縮機の正常な稼働電流範囲を超えるかどうかを判断するように構成される）。或いは、図１２に示すように、判断モジュール９２は、以下を含むことができる：第二判断サブ−モジュール（１２１）（稼働電流が予め設定された圧縮機の正常な稼働電流範囲を超えないとき及び第一端末が予め設定された操作モードであるとき、稼働電流がその時の操作モードでの予め設定された稼働電流範囲を超えるかどうかを判断するように構成される）。
【００９５】
一実施形態において、図１３に示すように、分析及びプッシュモジュール９４は、以下を含むことができる：第一決定サブ−モジュール（１３１）（圧縮機の履歴操作情報を獲得し、及び、圧縮機の履歴操作情報に基づいて異常の原因を決定するように構成される）。
【００９６】
一実施形態において、履歴操作情報は、圧縮機の使用年限及び故障記録を含む。第一決定サブ−モジュール（１３１）は、更に以下の動作を行うように構成される：圧縮機の故障記録及びその時の稼働電流を、予め記憶された故障記録とマッチングさせ、第一のマッチング結果を獲得すること、並びに、第一のマッチング結果に基づいて、圧縮機が故障しているかどうか決定すること、及び故障の原因を決定すること。第一決定サブ−モジュール（１３１）は、更に以下の動作を行うように構成される：まだ故障が起きていないとき、圧縮機の使用年限に基づいて、圧縮機が老化しているかどうか決定すること。そして、第一決定サブ−モジュール（１３１）は、更に以下の動作を行うように構成される：圧縮機がまだ老化していないとき、圧縮機がユーザによって発行された予め設定された操作モードの指示を実行していないかどうか決定すること。
【００９７】
一実施形態において、稼働状態パラメーターは、以下を含むことができる：第一端末での圧縮機の振動変位。
【００９８】
図１４に示すように、判断モジュール９２は、以下を含むことができる：第三判断サブ−モジュール（１４１）（振動変位が予め設定された変位閾値を超えるかどうか及び予め設定された時間閾値よりも長い時間続くかどうかを判断するように構成される）。
【００９９】
一実施形態において、図１５に示すように、分析及びプッシュモジュール９４は、以下を含むことができる：第二決定サブ−モジュール（１５１）（振動変位に対応する振動変位曲線を様々な故障に対応する予め記憶された振動変位曲線とマッチングさせ、第二のマッチング結果を獲得し、並びに、第二のマッチング結果に基づいて、圧縮機が故障しているかどうかを決定し、及び故障の原因を決定するように構成される）。
【０１００】
一実施形態において、図１６に示すように、分析及びプッシュモジュール９４は、以下を含むことができる：プッシュサブ−モジュール（１６１）（異常の提示情報を第二端末（例えばモバイル端末）にプッシュし、及び、異常の原因を分析したときに、異常の原因の提示情報を第二端末（例えば、モバイル端末）にプッシュするように構成される）。
【０１０１】
本開示の実施形態に従った上述の装置を用いて、以下の動作を行うことができる：第一端末における圧縮機の稼働状態パラメーターを獲得すること；稼働状態パラメーターが予め設定した範囲にあるかどうか判断すること；稼働状態パラメーターが予め設定した範囲内にない場合、圧縮機の異常が発生したと決定すること；及び異常の原因を分析すること、及び、予め設定された情報を、第一端末に対してコントロールを行う関係にある第二端末にプッシュすること。圧縮機の異常が発生したと決定したときには、ユーザには、圧縮機の異常が第一端末において発生したこと、及び異常の原因を、第二端末を通して、タイムリーに知らせることができる。従って、ユーザは、第一端末での圧縮機の異常に関する更なるアクションをとることができる。その結果、第一端末の知能化を実現し、及びユーザの体験を向上させることができる。
【０１０２】
本開示の実施形態の第三の態様に従って、端末圧縮機の状態を監視するための装置が提供される。装置は以下を含む：プロセッサ及びメモリ（プロセッサが実行可能な指示を記憶するように構成される）。ここで、プロセッサは、以下の動作を行うように構成される：第一端末における圧縮機の稼働状態パラメーターを獲得すること；稼働状態パラメーターが予め設定した範囲内に入るかどうか判断すること；稼働状態パラメーターが予め設定した範囲内にない場合、圧縮機の異常が発生したと決定すること；並びに、異常の原因を分析し、及び予め設定された情報を、第一端末に対してコントロールを行う関係にある第二端末にプッシュすること。
【０１０３】
プロセッサは、更に以下のように構成されてもよい：第一端末における圧縮機の稼働状態パラメーターを獲得することは、第一端末との予め確立された通信接続により、稼働状態パラメーターを受け取ることを含む。
【０１０４】
プロセッサは、更に以下のように構成されてもよい：稼働状態パラメーターは圧縮機の稼働電流を含むことができる；稼働状態パラメーターが予め設定した範囲にあるかどうか判断するステップは、稼働電流が予め設定された圧縮機の正常な稼働電流範囲を超えるかどうか判断すること、又は稼働電流が予め設定された圧縮機の正常な稼働電流範囲を超えない及び第一端末が予め設定された操作モードであるとき、稼働電流が予め設定された操作モードでの予め設定された稼働電流範囲を超えるかどうか判断することを含む。
【０１０５】
プロセッサは、更に以下のように構成されてもよい：異常の原因を分析することは、以下を含むことができる：圧縮機の履歴操作情報を獲得すること、及び圧縮機の履歴操作情報に基づいて異常の原因を決定すること。
【０１０６】
プロセッサは、更に以下のように構成されてもよい：履歴操作情報は、圧縮機の使用年限及び故障記録を含む；並びに圧縮機の履歴操作情報に基づいて異常の原因を決定するステップは、以下を含むことができる：圧縮機の故障記録及びその時の稼働電流を、予め記憶された故障記録とマッチングさせ、第一のマッチング結果を獲得すること；並びに、第一のマッチング結果に基づいて、圧縮機が故障しているかどうか決定すること、及び故障の原因を決定すること；まだ故障が起きていないとき、圧縮機の使用年限に基づいて、圧縮機が老化しているかどうか決定すること；並びに圧縮機がまだ老化していないとき、圧縮機が、ユーザによって発行された予め設定された操作モードの指示を実行していないかどうか決定すること。
【０１０７】
プロセッサは、更に以下のように構成されてもよい：稼働状態パラメーターは圧縮機の振動変位を含むことができる；稼働状態パラメーターが予め設定した範囲にあるかどうか判断するステップは、振動変位が予め設定された変位閾値を超えるかどうか判断すること、及び予め設定された時間閾値よりも長い時間続くかどうかを判断することを含む。
【０１０８】
プロセッサは、更に以下のように構成されてもよい：異常の原因を分析するステップは以下を含む：振動変位に対応する振動変位曲線を、様々な故障に対応する予め記憶された振動変位曲線とマッチングさせ、第二のマッチング結果を獲得すること、並びに、第二のマッチング結果に基づいて、圧縮機が故障しているかどうか決定すること、及び故障の原因を決定すること。
【０１０９】
プロセッサは、更に以下のように構成されてもよい：予め設定された情報を第二端末にプッシュするステップは、以下を含むことができる：異常の提示情報を第二端末にプッシュすること；及び異常の原因を分析した場合、異常の原因の提示情報を第二端末にプッシュすること。
【０１１０】
図１７は、端末圧縮機の状態を監視するのに適し、且つ例示的な実施形態に従った装置の概念図である。例えば、装置（１８００）は、サーバーとして設けられてもよい。装置（１８００）は、処理構成要素（１８２２）（更に１以上のプロセッサを含む）を含み、及び、メモリリソースを含み、該メモリリソースは、メモリ（１８３２）で表され、これは、処理構成要素（１８２２）が実行可能な指示（例えば、アプリケーション・プログラムのような）を記憶するための物である。メモリ（１８３２）に記憶されるアプリケーション・プログラムは、以下を含むことができる：１以上のモジュールであって、各々、１組の指示に対応する、該モジュール。更には、処理構成要素（１８２２）は、上述した方法を実施するための指示を実行するように構成される。
【０１１１】
装置１８００は更に以下を含むことができる：電力構成要素（１８２６）（装置１８００の電力管理を実行するように構成される）；有線の又は無線ネットワークインターフェース（１８５０）（装置（１８００）をネットワークに接続させるように構成される）；及び入力／出力（Ｉ／Ｏ）インターフェース（１８５８）。装置（１８００）は、メモリ（１８３２）に記憶されたオペレーティングシステムに基づいて動作してもよい（例えばＷｉｎｄｏｗｓ（登録商標）サーバー、Ｍａｃ  ＯＳ  Ｘ（登録商標）、Ｕｎｉｘ（登録商標）、Ｌｉｎｕｘ（登録商標）、ＦｒｅｅＢＳＤ（登録商標）等）。
【０１１２】
本開示は、非一時的コンピュータ可読記憶媒体を提供し、記憶媒体内の指示が装置（１８００）のプロセッサによって実行されるとき、装置は、端末圧縮機の状態を監視するための上述の方法を実行することができる。方法は、以下のステップを含む：第一端末の圧縮機の稼働状態パラメーターを得ること；稼働状態パラメーターが予め設定した範囲内に入るかどうか判断すること；稼働状態パラメーターが予め設定した範囲内にない場合、圧縮機の異常が発生したことを決定すること；並びに、異常の原因を分析すること、及び予め設定された情報を、第一端末に対してコントロールを行う関係にある第二端末にプッシュすること。
【０１１３】
一実施形態において、第一端末における圧縮機の稼働状態パラメーターを獲得するステップは、以下を含むことができる：稼働状態パラメーターを、第一端末との予め確立された通信接続によって受け取ること。
【０１１４】
一実施形態において、稼働状態パラメーターが圧縮機の稼働電流を含むとき、稼働状態パラメーターが予め設定した範囲にあるかどうか判断するステップは、以下を含むことができる：稼働電流が予め設定された圧縮機の正常な稼働電流範囲を超えるかどうか判断すること；又は、稼働電流が予め設定された圧縮機の正常な稼働電流範囲を超えない及び第一端末が予め設定された操作モードであるとき、稼働電流が予め設定された操作モードでの予め設定された稼働電流範囲を超えるかどうか判断すること。
【０１１５】
一実施形態において、異常の原因を分析するステップは、以下を含むことができる：圧縮機の履歴操作情報を獲得すること、及び圧縮機の履歴操作情報に基づいて異常の原因を決定すること。
【０１１６】
一実施形態において、履歴操作情報は、圧縮機の使用年限及び故障記録を含む。圧縮機の履歴操作情報に基づいて異常の原因を決定するステップは以下を含む：圧縮機の故障記録及びその時の稼働電流を、予め記憶された故障記録とマッチングさせ、第一のマッチング結果を獲得すること、並びに、第一のマッチング結果に基づいて、圧縮機が故障しているかどうか決定すること、及び故障の原因を決定すること；まだ故障が起きていないとき、圧縮機の使用年限に基づいて、圧縮機が老化しているかどうか決定すること；及び圧縮機がまだ老化していないとき、圧縮機が、ユーザによって発行された予め設定された操作モードの指示を実行していないかどうか決定すること。
【０１１７】
一実施形態において、稼働状態パラメーターが圧縮機の振動変位を含むとき、稼働状態パラメーターが予め設定した範囲にあるかどうか判断するステップは、以下を含むことができる：振動変位が予め設定された変位閾値を超えるかどうか判断すること、及び予め設定された時間閾値よりも長い時間続くかどうかを判断すること。
【０１１８】
一実施形態において、異常の原因を分析するステップは、以下を含むことができる：振動変位に対応する振動変位曲線を、様々な故障に対応する予め記憶された振動変位曲線とマッチングさせ、第二のマッチング結果を獲得すること；及び第二のマッチング結果に基づいて、圧縮機が故障しているかどうか決定すること、及び故障の原因を決定すること。
【０１１９】
一実施形態において、予め設定された情報を第二端末にプッシュするステップは、以下を含むことができる：異常の提示情報を第二端末にプッシュすること；及び異常の原因を分析した場合、異常の原因の提示情報を第二端末にプッシュすること。
【０１２０】
他の本開示の実施形態については、本明細書の記載及びここでの開示内容を実施することを考慮することにより、当業者にとって容易に想到できるであろう。本出願は、本開示の包括的な原理に従った本開示の任意のバリエーション、使用、又は、適応をカバーすることを意図している。そして、本開示からの、当分野で周知又は慣用手段に入るこうした変更が含まれる。本明細書及び例示は、例示的なものとしてのみ考慮されることを意図しており、本開示の真の範囲及び思想は、以降の特許請求の範囲によって示される。
【０１２１】
以下の点を理解されたい：本開示は、上述した及び添付図に示された正確な構成に限定されず、本開示の範囲から逸脱することなく様々な改変及び変更を行うことができる。本開示の範囲は、添付した特許請求の範囲によってのみ限定されることを意図する。
【図１】
2017524167.tif 000003
【図２】
2017524167.tif 000004
【図３】
2017524167.tif 000005
【図４】
2017524167.tif 000006
【図５】
2017524167.tif 000007
【図６】
2017524167.tif 000008
【図７】
2017524167.tif 000009
【図８】
2017524167.tif 000010
【図９】
2017524167.tif 000011
【図１０】
2017524167.tif 000012
【図１１】
2017524167.tif 000013
【図１２】
2017524167.tif 000014
【図１３】
2017524167.tif 000015
【図１４】
2017524167.tif 000016
【図１５】
2017524167.tif 000017
【図１６】
2017524167.tif 000018
【図１７】
2017524167.tif 000019
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
端末圧縮機の状態を監視するための方法であって、以下を含む方法：
第一端末の圧縮機の稼働状態パラメーターを得ること；
前記稼働状態パラメーターが予め設定した範囲内に入るかどうか判断すること；
前記稼働状態パラメーターが前記予め設定した範囲内にない場合、前記圧縮機の異常が発生したことを決定すること；並びに
前記異常の原因を分析すること、及び予め設定された情報を、前記第一端末に対してコントロールを行う関係にある第二端末にプッシュすること。
【請求項２】
請求項１に記載の方法であって、前記第一端末の前記圧縮機の前記稼働状態パラメーターを獲得することが以下を含む該方法：
前記稼働状態パラメーターを、前記第一端末との予め確立された通信接続によって受け取ること。
【請求項３】
請求項１又は２に記載の方法であって、前記稼働状態パラメーターが前記圧縮機の稼働電流を含むとき、前記稼働状態パラメーターが前記予め設定した範囲にあるかどうか判断することが以下を含む該方法：
前記稼働電流が予め設定された前記圧縮機の正常な稼働電流範囲を超えるかどうか判断すること；又は
前記稼働電流が予め設定された前記圧縮機の正常な稼働電流範囲を超えない及び前記第一端末が予め設定された操作モードであるとき、前記稼働電流が前記予め設定された操作モードでの予め設定された稼働電流範囲を超えるかどうか判断すること。
【請求項４】
請求項１〜３のうちいずれか１項に記載の方法であって、前記異常の原因を分析することが以下を含む該方法：
前記圧縮機の履歴操作情報を獲得すること、及び前記圧縮機の前記履歴操作情報に基づいて前記異常の原因を決定すること。
【請求項５】
請求項４に記載の方法であって、前記履歴操作情報が前記圧縮機の使用年限及び故障記録を含み；
前記圧縮機の履歴操作情報に基づいて異常の原因を決定することが以下を含む該方法：
前記圧縮機の前記故障記録及びその時の稼働電流を、予め記憶された故障記録とマッチングさせ、第一のマッチング結果を獲得すること、並びに、前記第一のマッチング結果に基づいて、前記圧縮機が故障しているかどうか決定すること、及び前記故障の原因を決定すること；
まだ故障が起きていないとき、前記圧縮機の使用年限に基づいて、前記圧縮機が老化しているかどうか決定すること；並びに
前記圧縮機がまだ老化していないとき、前記圧縮機が、ユーザによって発行された前記予め設定された操作モードの指示を実行していないかどうか決定すること。
【請求項６】
請求項１又は２に記載の方法であって、前記稼働状態パラメーターが前記圧縮機の振動変位を含むとき、前記稼働状態パラメーターが前記予め設定した範囲にあるかどうか判断することが以下を含む該方法：
前記振動変位が予め設定された変位閾値を超えるかどうか判断すること、及び予め設定された時間閾値よりも長い時間続くかどうかを判断すること。
【請求項７】
請求項６に記載の方法であって、前記異常の原因を分析することが以下を含む該方法：
前記振動変位に対応する振動変位曲線を、様々な故障に対応する予め記憶された振動変位曲線とマッチングさせ、第二のマッチング結果を獲得すること；並びに
前記第二のマッチング結果に基づいて、前記圧縮機が故障しているかどうか決定すること、及び前記故障の原因を決定すること。
【請求項８】
請求項１〜７のうちいずれか１項に記載の方法であって、前記予め設定された情報を前記第二端末にプッシュすることが以下を含む該方法：
前記異常の提示情報を前記第二端末にプッシュすること；及び
前記異常の原因を分析した場合、前記異常の原因の提示情報を前記第二端末にプッシュすること。
【請求項９】
端末圧縮機の状態を監視するための装置であって、以下を備える装置：
獲得モジュールであって、第一端末の圧縮機の稼働状態パラメーターを獲得するように構成される、該モジュール；
判断モジュールであって、前記稼働状態パラメーターが予め設定した範囲内に入るかどうか判断するように構成される、該モジュール；
決定モジュールであって、前記稼働状態パラメーターが前記予め設定した範囲内にない場合、前記圧縮機の異常が発生したことを決定するように構成される、該モジュール；並びに
分析及びプッシュモジュールであって、前記異常の原因を分析し、及び予め設定された情報を、前記第一端末に対してコントロールを行う関係にある第二端末にプッシュするように構成される、該モジュール。
【請求項１０】
請求項９に記載の装置であって、前記獲得モジュールは以下を含む該装置：
獲得サブ−モジュールであって、前記第一端末との予め確立された通信接続により、前記稼働状態パラメーターを受け取るように構成される、該モジュール。
【請求項１１】
請求項９又は１０に記載の装置であって、前記稼働状態パラメーターが前記圧縮機の稼働電流を含むとき、前記判断モジュールが以下を含む該装置：
第一判断サブ−モジュールであって、前記稼働電流が予め設定された前記圧縮機の正常な稼働電流範囲を超えるかどうかを判断するように構成される、該モジュール；又は
第二判断サブ−モジュールであって、前記稼働電流が予め設定された前記圧縮機の正常な稼働電流範囲を超えない及び前記第一端末が予め設定された操作モードであるとき、前記稼働電流が前記予め設定された操作モードでの予め設定された稼働電流範囲を超えるかどうかを判断するように構成される、該モジュール。
【請求項１２】
請求項９〜１１のうちいずれか１項に記載の装置であって、前記分析及びプッシュモジュールが以下を含む該装置：
第一決定サブ−モジュールであって、前記圧縮機の履歴操作情報を獲得し、及び、前記圧縮機の前記履歴操作情報に基づいて前記異常の原因を決定するように構成される、該モジュール。
【請求項１３】
請求項１２の装置であって、前記履歴操作情報が前記圧縮機の使用年限及び故障記録を含み；
前記第一決定サブ−モジュールは、更に以下の動作を行うように構成され：前記圧縮機の前記故障記録及びその時の稼働電流を、予め記憶された故障記録とマッチングさせ、第一のマッチング結果を獲得すること、並びに、前記第一のマッチング結果に基づいて、前記圧縮機が故障しているかどうか決定すること、及び前記故障の原因を決定すること；まだ故障が起きていないとき、前記圧縮機の前記使用年限に基づいて、前記圧縮機が老化しているかどうか決定すること；並びに、前記圧縮機がまだ老化していないとき、前記圧縮機が、ユーザによって発行された前記予め設定された操作モードの指示を実行していないかどうか決定すること。
【請求項１４】
請求項９又は１０の装置であって、前記稼働状態パラメーターが前記圧縮機の振動変位を含むとき、前記判断モジュールは以下を含む該装置：
第三判断サブ−モジュールであって、前記振動変位が予め設定された変位閾値を超えるかどうか及び予め設定された時間閾値よりも長い時間続くかどうかを判断するように構成される、該モジュール。
【請求項１５】
請求項１４に記載の装置であって、前記分析及びプッシュモジュールは以下を含む該装置：
第二決定サブ−モジュールであって、前記振動変位に対応する振動変位曲線を、様々な故障に対応する予め記憶された振動変位曲線とマッチングさせ、第二のマッチング結果を獲得し、並びに、前記第二のマッチング結果に基づいて、前記圧縮機が故障しているかどうかを決定し、及び前記故障の原因を決定するように構成される、該モジュール。
【請求項１６】
請求項９〜１５のうちいずれか１項に記載の装置であって、前記分析及びプッシュモジュールは以下を含む該装置：
プッシュサブ−モジュールであって、前記異常の提示情報を前記第二端末にプッシュし、及び、前記異常の原因を分析した場合、前記異常の原因の提示情報を前記第二端末にプッシュするように構成される、該モジュール。
【請求項１７】
コンピュータ上で実行したときに請求項１〜８のうちいずれか１項に記載の端末圧縮機の状態を監視するための方法をコンピュータに実行させるためのコンピュータプログラム。
【請求項１８】
媒体上に記憶された請求項１７に記載のプログラムを含むコンピュータ可読記憶媒体。
【手続補正２】
【補正対象書類名】明細書
【補正対象項目名】０１２１
【補正方法】変更
【補正の内容】
【０１２１】
以下の点を理解されたい：本開示は、上述した及び添付図に示された正確な構成に限定されず、本開示の範囲から逸脱することなく様々な改変及び変更を行うことができる。本開示の範囲は、添付した特許請求の範囲によってのみ限定されることを意図する。
本発明は一側面において以下の発明を包含する。
（発明１）
端末圧縮機の状態を監視するための方法であって、以下を含む方法：
第一端末の圧縮機の稼働状態パラメーターを得ること；
前記稼働状態パラメーターが予め設定した範囲内に入るかどうか判断すること；
前記稼働状態パラメーターが前記予め設定した範囲内にない場合、前記圧縮機の異常が発生したことを決定すること；並びに
前記異常の原因を分析すること、及び予め設定された情報を、前記第一端末に対してコントロールを行う関係にある第二端末にプッシュすること。
（発明２）
発明１に記載の方法であって、前記第一端末の前記圧縮機の前記稼働状態パラメーターを獲得することが以下を含む該方法：
前記稼働状態パラメーターを、前記第一端末との予め確立された通信接続によって受け取ること。
（発明３）
発明１に記載の方法であって、前記稼働状態パラメーターが前記圧縮機の稼働電流を含むとき、前記稼働状態パラメーターが前記予め設定した範囲にあるかどうか判断することが以下を含む該方法：
前記稼働電流が予め設定された前記圧縮機の正常な稼働電流範囲を超えるかどうか判断すること；又は
前記稼働電流が予め設定された前記圧縮機の正常な稼働電流範囲を超えない及び前記第一端末が予め設定された操作モードであるとき、前記稼働電流が前記予め設定された操作モードでの予め設定された稼働電流範囲を超えるかどうか判断すること。
（発明４）
発明３に記載の方法であって、前記異常の原因を分析することが以下を含む該方法：
前記圧縮機の履歴操作情報を獲得すること、及び前記圧縮機の前記履歴操作情報に基づいて前記異常の原因を決定すること。
（発明５）
発明４に記載の方法であって、前記履歴操作情報が前記圧縮機の使用年限及び故障記録を含み；
前記圧縮機の履歴操作情報に基づいて異常の原因を決定することが以下を含む該方法：
前記圧縮機の前記故障記録及びその時の稼働電流を、予め記憶された故障記録とマッチングさせ、第一のマッチング結果を獲得すること、並びに、前記第一のマッチング結果に基づいて、前記圧縮機が故障しているかどうか決定すること、及び前記故障の原因を決定すること；
まだ故障が起きていないとき、前記圧縮機の使用年限に基づいて、前記圧縮機が老化しているかどうか決定すること；並びに
前記圧縮機がまだ老化していないとき、前記圧縮機が、ユーザによって発行された前記予め設定された操作モードの指示を実行していないかどうか決定すること。
（発明６）
発明１に記載の方法であって、前記稼働状態パラメーターが前記圧縮機の振動変位を含むとき、前記稼働状態パラメーターが前記予め設定した範囲にあるかどうか判断することが以下を含む該方法：
前記振動変位が予め設定された変位閾値を超えるかどうか判断すること、及び予め設定された時間閾値よりも長い時間続くかどうかを判断すること。
（発明７）
発明６に記載の方法であって、前記異常の原因を分析することが以下を含む該方法：
前記振動変位に対応する振動変位曲線を、様々な故障に対応する予め記憶された振動変位曲線とマッチングさせ、第二のマッチング結果を獲得すること；並びに
前記第二のマッチング結果に基づいて、前記圧縮機が故障しているかどうか決定すること、及び前記故障の原因を決定すること。
（発明８）
発明１〜７のうちいずれか１つに記載の方法であって、前記予め設定された情報を前記第二端末にプッシュすることが以下を含む該方法：
前記異常の提示情報を前記第二端末にプッシュすること；及び
前記異常の原因を分析した場合、前記異常の原因の提示情報を前記第二端末にプッシュすること。
（発明９）
端末圧縮機の状態を監視するための装置であって、以下を備える装置：
獲得モジュールであって、第一端末の圧縮機の稼働状態パラメーターを獲得するように構成される、該モジュール；
判断モジュールであって、前記稼働状態パラメーターが予め設定した範囲内に入るかどうか判断するように構成される、該モジュール；
決定モジュールであって、前記稼働状態パラメーターが前記予め設定した範囲内にない場合、前記圧縮機の異常が発生したことを決定するように構成される、該モジュール；並びに
分析及びプッシュモジュールであって、前記異常の原因を分析し、及び予め設定された情報を、前記第一端末に対してコントロールを行う関係にある第二端末にプッシュするように構成される、該モジュール。
（発明１０）
発明９に記載の装置であって、前記獲得モジュールは以下を含む該装置：
獲得サブ−モジュールであって、前記第一端末との予め確立された通信接続により、前記稼働状態パラメーターを受け取るように構成される、該モジュール。
（発明１１）
発明９に記載の装置であって、前記稼働状態パラメーターが前記圧縮機の稼働電流を含むとき、前記判断モジュールが以下を含む該装置：
第一判断サブ−モジュールであって、前記稼働電流が予め設定された前記圧縮機の正常な稼働電流範囲を超えるかどうかを判断するように構成される、該モジュール；又は
第二判断サブ−モジュールであって、前記稼働電流が予め設定された前記圧縮機の正常な稼働電流範囲を超えない及び前記第一端末が予め設定された操作モードであるとき、前記稼働電流が前記予め設定された操作モードでの予め設定された稼働電流範囲を超えるかどうかを判断するように構成される、該モジュール。
（発明１２）
発明１１に記載の装置であって、前記分析及びプッシュモジュールが以下を含む該装置：
第一決定サブ−モジュールであって、前記圧縮機の履歴操作情報を獲得し、及び、前記圧縮機の前記履歴操作情報に基づいて前記異常の原因を決定するように構成される、該モジュール。
（発明１３）
発明１２の装置であって、前記履歴操作情報が前記圧縮機の使用年限及び故障記録を含み；
前記第一決定サブ−モジュールは、更に以下の動作を行うように構成され：前記圧縮機の前記故障記録及びその時の稼働電流を、予め記憶された故障記録とマッチングさせ、第一のマッチング結果を獲得すること、並びに、前記第一のマッチング結果に基づいて、前記圧縮機が故障しているかどうか決定すること、及び前記故障の原因を決定すること；まだ故障が起きていないとき、前記圧縮機の前記使用年限に基づいて、前記圧縮機が老化しているかどうか決定すること；並びに、前記圧縮機がまだ老化していないとき、前記圧縮機が、ユーザによって発行された前記予め設定された操作モードの指示を実行していないかどうか決定すること。
（発明１４）
発明１０の装置であって、前記稼働状態パラメーターが前記圧縮機の振動変位を含むとき、前記判断モジュールは以下を含む該装置：
第三判断サブ−モジュールであって、前記振動変位が予め設定された変位閾値を超えるかどうか及び予め設定された時間閾値よりも長い時間続くかどうかを判断するように構成される、該モジュール。
（発明１５）
発明１４に記載の装置であって、前記分析及びプッシュモジュールは以下を含む該装置：
第二決定サブ−モジュールであって、前記振動変位に対応する振動変位曲線を、様々な故障に対応する予め記憶された振動変位曲線とマッチングさせ、第二のマッチング結果を獲得し、並びに、前記第二のマッチング結果に基づいて、前記圧縮機が故障しているかどうかを決定し、及び前記故障の原因を決定するように構成される、該モジュール。
（発明１６）
発明１０〜１５のうちいずれか１つに記載の装置であって、前記分析及びプッシュモジュールは以下を含む該装置：
プッシュサブ−モジュールであって、前記異常の提示情報を前記第二端末にプッシュし、及び、前記異常の原因を分析した場合、前記異常の原因の提示情報を前記第二端末にプッシュするように構成される、該モジュール。
（発明１７）
端末圧縮機の状態を監視するための装置であって：
プロセッサ；
メモリであって、前記プロセッサが実行可能な指示を記憶するように構成される、該メモリ；
を備える該装置であり、
前記プロセッサは、以下の動作を行うように構成される、該装置：
第一端末の圧縮機の稼働状態パラメーターを獲得すること；
前記稼働状態パラメーターが予め設定した範囲内に入るかどうか判断すること；
前記稼働状態パラメーターが前記予め設定した範囲内にない場合、前記圧縮機の異常が発生したことを決定すること；並びに
異常の原因を分析すること、及び予め設定された情報を、前記第一端末に対してコントロールを行う関係にある第二端末にプッシュすること。
【国際調査報告】
2017524167.tif 000020
2017524167.tif 000021
2017524167.tif 000022
2017524167.tif 000023